(57)【要約】【課題】専用の引張装置や治具等を使用することなく、軽力で、かつ簡単な組み付け作業のみで、張材を強く張設しうるようにしたフレームへの張材の張設構造および方法を提供する。【解決手段】対向端部同士を結合手段２１をもって結合することにより、枠状の背凭れフレーム１１を形成するようにした第１分割フレーム１２と第２分割フレーム１３とに、張材２８の各端部を、所期の張力が作用しないようにして取り付けておき、張材の両端部を離間させつつ、第１分割フレーム１２と第２分割フレーム１３とを、結合手段２１をもって結合することにより、張材２８が、所期の張力をもって背凭れフレーム１１に張設されるようにする。【選択図】  図３
2015085100.tif 000002
【特許請求の範囲】
【請求項１】
第１分割フレームと第２分割フレームとの対向端部同士を結合手段をもって結合することにより形成された枠状のフレームと、
一端部が前記第１分割フレームに、かつ他端部が前記第２分割フレームに取り付けられ、両端部を離間させつつ前記第１分割フレームと第２分割フレームとを、前記結合手段をもって結合することにより、所期の張力をもって前記フレームに張設されるようにした張材
とを備えることを特徴とするフレームへの張材の張設構造。
【請求項２】
結合手段を、第１分割フレームおよび第２分割フレームのいずれか一方の端末に形成した筒状部と、他方の端末に設けられ、かつ前記筒状部に嵌合されるようにした差し込み部とにより形成した請求項１記載のフレームへの張材の張設構造。
【請求項３】
フレームを、椅子の脚に設けられた背凭れ支持杆によって支持された背凭れフレームとし、第１分割フレームを、背凭れフレームにおける両側枠杆と、その上端部同士を連結する上部横杆と、両側枠杆の下端に連設された接続杆とからなるものとし、第２分割フレームを、両端が前記接続杆に結合手段をもって結合された下部横杆とし、かつ張材を、背凭れフレームが挿通する袋状部と、この袋状部の一部に形成された、第１および第２分割フレーム出し入れ用の開口とを有するものとした請求項１または２記載のフレームへの張材の張設構造。
【請求項４】
第１分割フレームと第２分割フレームとの結合部分を張材の開口から臨ませ、前記開口を背凭れ支持杆により閉塞するようにして、前記背凭れ支持杆と第１分割フレームおよび第２分割フレームとを、前記開口を挿通する第２結合手段をもって結合した請求項３記載のフレームへの張材の張設構造。
【請求項５】
対向端部同士を結合手段をもって結合することにより、枠状のフレームを形成するようにした第１分割フレームと第２分割フレームとに、張材の各端部を、所期の張力が作用しないようにして取り付けておき、前記張材の両端部を離間させつつ、前記第１分割フレームと第２分割フレームとを、前記結合手段をもって結合することにより、張材が、所期の張力をもって前記フレームに張設されるようにすることを特徴とするフレームへの張材の張設方法。
【請求項６】
第１分割フレームと第２分割フレームとの結合前に、第２分割フレームを第１分割フレームに対して側方に倒れた状態としておき、第２分割フレームを第１分割フレームと整合する位置まで回動させる際に、張材の張力が漸次増大するようにした請求項５記載のフレームへの張材の張設方法。
【請求項７】
第１分割フレームおよび第２分割フレームの少なくともいずれか一方の端末部を筒状部とし、この筒状部に、他方の端末部に設けた差し込み部を嵌合することにより結合手段とした請求項５または６記載のフレームへの張材の張設方法。
【請求項８】
フレームを、椅子の脚に設けられた背凭れ支持杆によって支持された背凭れフレームとし、第１分割フレームを、背凭れフレームにおける両側枠杆と、その上端部同士を連結する上部横杆と、両側枠杆の下端に連設された接続杆とからなるものとし、第２分割フレームを、両端が前記接続杆に結合手段をもって結合された下部横杆とし、かつ張材を、背凭れフレームが挿通する袋状部と、この袋状部の一部に形成された、第１および第２分割フレーム出し入れ用の開口とを有するものとした請求項５〜７のいずれかに記載のフレームへの張材の張設方法。
【請求項９】
第１分割フレームと第２分割フレームとの結合部分を張材の開口から臨ませ、前記開口を背凭れ支持杆により閉塞するようにして、背凭れ支持杆と第１分割フレームおよび第２分割フレームとを、前記開口を挿通する第２結合手段をもって結合した請求項８記載のフレームへの張材の張設方法。
【発明の詳細な説明】
【技術分野】
【０００１】
本発明は、椅子の背凭れもしくは座、または衝立等におけるフレームへの張材の張設構造および方法に関する。
【背景技術】
【０００２】
椅子の背凭れや座、または衝立等には、倒立Ｕ字状、または閉ループ状等の枠状に形成したフレームに、下端が開口する袋状に形成したメッシュ地等よりなる張材を上方から被嵌して、フレームに張設したものがある(例えば特許文献１〜４参照)。
【先行技術文献】
【特許文献】
【０００３】
【特許文献１】特開２００９−１１２３５９号公報
【特許文献２】特許第４１０９４４１号公報
【特許文献３】特許第４１０９４４１号公報
【特許文献４】特開２００９−１１２４１５号公報
【発明の概要】
【発明が解決しようとする課題】
【０００４】
このようなフレームへの張材の張設構造および方法において、フレームに対する張材の左右方向の張力は、張材の左右方向の寸法をフレームの左右方向の寸法より若干小としておくことにより容易に得られるが、張材の上下方向の張力を適正に保つのは簡単ではなく、特に強い張力を付与したい場合は、それに比例した強い力で張材を引っ張りつつ、フレームに固定する必要があり、そのためには、専用の引張装置や治具等を必要とし、組み立て工数も増大する等の問題がある。
【０００５】
例えば、特許文献１においては、張材の下部を下部フレームにかけ回して前方に引き出し、その先端部を前方に引きつつ、その先端の袋状部に挿通させた左右方向を向く固定板の両端部を、止めねじをもって取付金具に止着するようにしている。
【０００６】
特許文献２および３においては、張材の下部に取り付けた係合部材または保持部材を、ボルト・ナットを用いて引き締めるようにしている。
【０００７】
特許文献４においては、張材を、背フレームに上方より被せた後、背フレーム本体の下端に取付けた底板の下面に、タッキング等により固定し、かつ背凭れ下部カバーにより挟み込むことにより、所定の緊張状態で張設されるようにしている。
【０００８】
本発明は、従来の技術が有する上記のような問題点に鑑みてなされたもので、専用の引張装置や治具等を使用することなく、軽力で、かつ簡単な組み付け作業のみで、張材を強く張設しうるようにしたフレームへの張材の張設構造および方法を提供することを目的としている。
【課題を解決するための手段】
【０００９】
本発明によると、上記課題は、次のようにして解決される。
（１）フレームへの張材の張設構造において、第１分割フレームと第２分割フレームとの対向端部同士を結合手段をもって結合することにより形成された枠状のフレームと、一端部が前記第１分割フレームに、かつ他端部が前記第２分割フレームに取り付けられ、両端部を離間させつつ前記第１分割フレームと第２分割フレームとを、前記結合手段をもって結合することにより、所期の張力をもって前記フレームに張設されるようにした張材とを備えるものとする。
【００１０】
このような構成によると、張材の一端部を第１分割フレームに、かつ張材の他端部を第２分割フレームに取り付けた後、張材の両端部を離間させつつ第１分割フレームと第２分割フレームとを、結合手段をもって結合することにより、専用の引張装置や治具等を使用することなく、張材を、軽力で、かつ簡単な組み付け作業のみで、フレームに強く張設することができる。
【００１１】
（２）上記(１)項において、結合手段を、第１分割フレームおよび第２分割フレームのいずれか一方の端末に形成した筒状部と、他方の端末に設けられ、かつ前記筒状部に嵌合されるようにした差し込み部とにより形成する。
【００１２】
このような構成によると、結合手段の構造を簡素化することができるとともに、組み付け作業を簡単に行うことができる。
【００１３】
（３）上記(１)または(２)項において、フレームを、椅子の脚に設けられた背凭れ支持杆によって支持された背凭れフレームとし、第１分割フレームを、背凭れフレームにおける両側枠杆と、その上端部同士を連結する上部横杆と、両側枠杆の下端に連設された接続杆とからなるものとし、第２分割フレームを、両端が前記接続杆に結合手段をもって結合された下部横杆とし、かつ張材を、背凭れフレームが挿通する袋状部と、この袋状部の一部に形成された、第１および第２分割フレーム出し入れ用の開口とを有するものとする。
【００１４】
このような構成によると、張材の開口から、第１分割フレームを張材の上部の袋状部内に、また第２分割フレームを張材の下部の袋状部内に挿通した後、第１および第２分割フレームを、張材の上下方向に所期の張力がかからない状態から、徐々に張力がかかるように伸展させつつ、第１および第２分割フレームの対向端部同士を結合手段をもって結合することにより、専用の引張装置や治具等を使用することなく、軽力で、かつ簡単な組み付け作業のみで、張材の上下方向に強い張力を付与することができる。
【００１５】
（４）上記(３)項において、第１分割フレームと第２分割フレームとの結合部分を張材の開口から臨ませ、前記開口を背凭れ支持杆により閉塞するようにして、前記背凭れ支持杆と第１分割フレームおよび第２分割フレームとを、前記開口を挿通する第２結合手段をもって結合する。
【００１６】
このような構成によると、上記(３)項の効果に加えて、張材の開口を、背凭れ支持杆により閉塞して、上記開口が外部に露呈しないようにし、外観をよくすることができるだけでなく、背凭れ支持杆と第１分割フレームおよび第２分割フレームとを、第２結合手段をもって結合することにより、第１分割フレームと第２分割フレームとが、互いに分離しないように強力に結合することができ、特に、上記(２)項の発明のように、結合手段を、筒状部と、それに嵌合される差し込み部とからなるものとしたときは、それらの分離を阻止することができる。
【００１７】
（５）フレームへの張材の張設方法において、対向端部同士を結合手段をもって結合することにより、枠状のフレームを形成するようにした第１分割フレームと第２分割フレームとに、張材の各端部を、所期の張力が作用しないようにして取り付けておき、前記張材の両端部を離間させつつ、前記第１分割フレームと第２分割フレームとを、前記結合手段をもって結合することにより、張材が、所期の張力をもって前記フレームに張設されるようにする。
【００１８】
このような方法によると、張材の一端部を第１分割フレームに、かつ張材の他端部を第２分割フレームに取り付けた後、張材の両端部を離間させつつ第１分割フレームと第２分割フレームとを、結合手段をもって結合することにより、専用の引張装置や治具等を使用することなく、張材を、軽力で、かつ簡単な組み付け作業のみで、フレームに強く張設することができる。
【００１９】
（６）上記(５)項において、第１分割フレームと第２分割フレームとの結合前に、第２分割フレームを第１分割フレームに対して側方に倒れた状態としておき、第２分割フレームを第１分割フレームと整合する位置まで回動させる際に、張材の張力が漸次増大するようにする。
【００２０】
このような方法によると、第２分割フレームを第１分割フレームと整合する位置まで回動させる際の回動動作で、張材に所期の張力を付与することができるので、組み立て作業を、軽力で、迅速に行うことができる。
【００２１】
（７）上記(５)または(６)項において、第１分割フレームおよび第２分割フレームの少なくともいずれか一方の端末部を筒状部とし、この筒状部に、他方の端末部に設けた差し込み部を嵌合することにより結合手段とする。
【００２２】
このような方法によると、結合手段の構造を簡素化することができるとともに、組み付け作業を簡単に行うことができる。
【００２３】
（８）上記(５)〜(７)項のいずれかにおいて、フレームを、椅子の脚に設けられた背凭れ支持杆によって支持された背凭れフレームとし、第１分割フレームを、背凭れフレームにおける両側枠杆と、その上端部同士を連結する上部横杆と、両側枠杆の下端に連設された接続杆とからなるものとし、第２分割フレームを、両端が前記接続杆に結合手段をもって結合された下部横杆とし、かつ張材を、背凭れフレームが挿通する袋状部と、この袋状部の一部に形成された、第１および第２分割フレーム出し入れ用の開口とを有するものとする。
【００２４】
このような方法によると、張材の開口から、第１分割フレームを張材の上部の袋状部内に、また第２分割フレームを張材の下部の袋状部内に挿通した後、第１および第２分割フレームを、張材の上下方向に所期の張力がかからない状態から、徐々に張力がかかるように伸展させつつ、第１および第２分割フレームの対向端部同士を結合手段をもって結合することにより、専用の引張装置や治具等を使用することなく、軽力で、かつ簡単な組み付け作業のみで、張材の上下方向に強い張力を付与することができる。
【００２５】
（９）上記(８)項において、第１分割フレームと第２分割フレームとの結合部分を張材の開口から臨ませ、前記開口を背凭れ支持杆により閉塞するようにして、背凭れ支持杆と第１分割フレームおよび第２分割フレームとを、前記開口を挿通する第２結合手段をもって結合する。
【００２６】
このような方法によると、上記(８)項の効果に加えて、張材の開口を、背凭れ支持杆により閉塞して、上記開口が外部に露呈しないようにし、外観をよくすることができるだけでなく、背凭れ支持杆と第１分割フレームおよび第２分割フレームとを、第２結合手段をもって結合することにより、第１分割フレームと第２分割フレームとが、互いに分離しないように強力に結合することができ、特に、上記(７)項の発明のように、結合手段を、筒状部と、それに嵌合される差し込み部とからなるものとしたときは、それらの分離を阻止することができる。
【発明の効果】
【００２７】
本発明によると、専用の引張装置や治具等を使用することなく、軽力で、かつ簡単な組み付け作業のみで、張材を強く張設しうるようにしたフレームへの張材の張設構造および方法を提供することができる。
【図面の簡単な説明】
【００２８】
【図１】本発明のフレームへの張材の張設構造を背凭れに適用した第１の実施形態を備える椅子の正面図である。
【図２】同じく、側面図である。
【図３】背凭れと背凭れ支持杆との斜視図である。
【図４】背凭れと背凭れ支持杆との分解斜視図である。
【図５】背凭れフレームのみの一部切欠き側面図である。
【図６】図５のVI部拡大図である。
【図７】第１の実施形態におけるフレームへの張材の取り付け初期の状態を斜め前上方より見た斜視図である。
【図８】同じく、第２段階後の状態を斜め前上方より見た斜視図である。
【図９】同じく、第３段階後の状態を斜め前上方より見た斜視図である。
【図１０】同じく、第４段階後の状態を斜め前上方より見た斜視図である。
【図１１】本発明のフレームへの張材の張設構造を椅子の背凭れに適用した第２の実施形態における背凭れフレームへの張材の取り付け初期の状態を斜め前上方より見た斜視図である。
【図１２】同じく、第２段階後の状態を斜め前上方より見た斜視図である。
【図１３】同じく、第３段階後の状態を斜め前上方より見た斜視図である。
【図１４】同じく、第４段階後の状態を斜め前上方より見た斜視図である。
【図１５】同じく、背凭れ完成時の状態を斜め前上方より見た斜視図である。
【図１６】本発明のフレームへの張材の張設構造を衝立に適用した第３の実施形態における完成時の状態を斜め前上方より見た斜視図である。
【図１７】同じく、組立途中の状態を斜め前上方より見た斜視図である。
【発明を実施するための形態】
【００２９】
以下、本発明のフレームへの張材の張設構造の第１の実施形態を、図１〜図１０を参照して説明する。
図１は、本発明のフレームへの張材の張設構造を背凭れに適用した第１の実施形態を備える椅子の正面図、図２は、同じく、側面図である。
この椅子は、円板状のベース１の中央に立設した脚柱２の上端に支基３を設け、この支基３によって座４を支持し、かつ支基３より斜め上方に向かって両側方に突出する左右１対の背凭れ支持杆５、５の先端部をもって、背凭れ６の下端両側部を支持したものよりなっている。
左右の背凭れ支持杆５、５は、支基３を貫通する左右方向を向く軸(図示略)の両端に固着され、この軸と背凭れ６と一体となって、支基３に対して前後方向に回動しうるようになっている。
【００３０】
背凭れ６は、背凭れ本体７と、その上端に連設されたヘッドレスト８と、背凭れ本体の７の両側下部より互いに外側方にわずかに拡開するようにして前方を向く左右１対の肘掛部９とを備えている。
各肘掛部９の上端には、前端に操作レバー１０ａを設けた肘当て部材１０が取付けられている。
【００３１】
図３〜図５に示すように、背凭れ６は、閉ループをなす枠状の背凭れフレーム(フレーム)１１を備えている。
この背凭れフレーム１１は、下端部が開口する概ね倒立Ｕ字状の管材からなる第１分割フレーム１２と、前端部が開口する平面視ほぼコ字状の管材からなる第２分割フレーム１３とを備えている。
【００３２】
第１分割フレーム１２は、上下方向を向く左右１対の側枠杆１４、１４と、その上端に連設され、側面視が前方に向かって突出する円弧状をなすヘッドレスト側枠杆１５、１５と、その上端部同士を連結する左右方向を向く上部横杆１６と、両側枠杆１４、１４の下端に連設され、互いに外側方にわずかに拡開するようにして前方を向く左右１対の肘掛杆１７、１７と、両肘掛杆１７、１７の前端に水平部１８ａが嵌合されて結合され、かつ前端に垂下部１８ｂを有する側面視倒立Ｌ字状の左右１対のコーナー部材１８、１８と、両コーナー部材１８、１８における垂下部１８ｂが上端に嵌合されて結合された上下方向を向く左右１対の垂下杆１９、１９と、その下端に連設され、後方を向く左右１対の接続杆２０、２０とからなっている。
左右１対の側枠杆１４、１４と、ヘッドレスト側枠杆１５、１５と、上部横杆１６と、左右１対の肘掛杆１７、１７とは、１本の管材を折曲して形成されており、これらを、第１分割フレーム１２の基部１２ａと呼ぶこととする。
【００３３】
ヘッドレスト側枠杆１５、１５を省略して、両側枠杆１４、１４の上端に、上部横杆１６を直接連結したり、両肘掛杆１７、１７とコーナー部材１８、１８と垂下杆１９、１９とを省略し、両側枠杆１４、１４の下端に接続杆２０、２０を直接連結することもある。
【００３４】
第２分割フレーム１３は、両端が接続杆２０、２０に結合手段２１をもって結合され、かつ前端部が開口する平面視コ字状の下部横杆２２としてある。
【００３５】
結合手段２１は、この例では、各接続杆２０の後端に突設した差し込み部２３と、それに対向する下部横杆２２の端部に形成され、差し込み部２３が嵌合されるようにした筒状部２４とからなるものとしてある。
差し込み部２３を下部横杆２２の前端に前向突設し、かつそれが嵌合される筒状部２４を、各接続杆２０の後端に設けることもある。
また、結合手段２１を、他の構造のものとすることもある。
【００３６】
左右の側枠杆１４、１４とヘッドレスト側枠杆１５、１５との連設部の内側には、上端が開口する上下方向を向く受け筒２５、２５が設けられ、両受け筒２５、２５に、左右方向を向く連結杆２６の両端に設けた下向き差し込み片２６ａ、２６ａを上方より差し込むことにより、連結杆２６を背凭れフレーム１１の上部寄りの中間部に、着脱自在に装着しうるようになっている。
この連結杆２６を設けることにより、外力により、後述する張材２８のヘッドレスト形成部３１側の張力が増大させられても、その増大した張力が、張材２８における連結杆２６より下方の部分に伝達されるのが阻止される。すなわち、連結杆２６は、張材２８における張力伝達阻止部をなしている。
【００３７】
左右の肘掛杆１７、１７の前後方向の中間部には、中央にねじ孔２７ａ(図６参照)を設けた上下方向を向く前後１対の筒体２７、２７が、上下方向に貫通するように設けられており、ここに、肘当て部材１０をねじ止めしうるようになっている。この筒体２７は、長ナットとすることもある。
【００３８】
図６に示すように、左右の接続杆２０、２０の後端部寄りと、それに対向する下部横杆２２の前端部寄りとには、上記と同様の、中央にねじ孔２７ａが設けられた上下方向を向く筒体２７が、上下方向に貫通するように設けられている。これらの筒体２７、２７のねじ孔２７ａ、２７ａには、後述するように、背凭れ６と左右１対の背凭れ支持杆５、５の先端部とを結合する第２結合手段をなす前後１対のボルト３６、３６が螺合される。
【００３９】
図３および図４に示すように、張材２８は、伸縮性の素材よりなり、全体の外形を背凭れフレーム１１とほぼ同形で、かつ上下、左右の寸法を若干小としてあり、背凭れフレーム１１における連結杆２６より下方、かつ下部横杆２２より上方であって、左右の側枠杆１４、１４に挟まれた中間部には、１枚のメッシュ地のみよりなるシースルー部２９が形成されており、その外側の部分は袋状部３０となっている。
【００４０】
袋状部３０は、シースルー部２９より上方のヘッドレスト形成部３１と、シースルー部２９の両側方の側枠形成部３２、３２と、その下部より斜め前方に張り出す左右１対の肘掛形成部３３、３３と、シースルー部２９より下方の下部３４とからなっている。
【００４１】
袋状部３０における両肘掛形成部３３、３３の下端部には、背凭れフレーム１１を分割した状態で袋状部３０に出し入れできるようにした開口３５、３５が設けられている。
【００４２】
次に、図７〜図１０を参照して、本発明のフレームへの張材の張設方法の第１の実施要領について説明する。
図７に示すように、第１分割フレーム１２の基部１２ａにおける一方の肘掛杆１７の先端を、張材２８の一方の開口３５より張材２８内に差し込み、その先端を、図７に破線の矢印で示すように、張材２８の袋状部３０における下部３４から、一方の側枠形成部３２、ヘッドレスト形成部３１、他方の側枠形成部３２、および下部３４に順次挿通させて、図８に示すように、他方の開口３５より外部に突出させる。
なお、図７および図８は、理解を容易にするため、第１分割フレーム１２の基部１２ａの姿勢を、図４と同様としてあるが、この第１分割フレーム１２の基部１２ａと張材２８との挿通作業時の姿勢は、作業し易い向きとすればよい。
【００４３】
次に、図８に示すように、連結杆２６の一端を、肘掛杆１７が挿通している一方の開口３５から、張材２８内に差し込み、その一端を、図８に破線の矢印で示すように、張材２８の袋状部３０における下部３４から、一方の側枠形成部３２およびヘッドレスト形成部３１に順次挿通させて、その一端の下向き差し込み片２６ａを、一方の側枠杆１４の上端部における受け筒２５に上方より差し込み、次いで、連結杆２６の他端の下向き差し込み片２６ａを、他方の側枠杆１４の上端部における受け筒２５に上方より差し込んで、連結杆２６を、第１分割フレーム１２の基部１２ａに取付ける。
【００４４】
次に、図９に示すように、張材２８の開口３５より外部に突出した左右の肘掛杆１７、１７の先端に、コーナー部材１８および垂下杆１９と接続杆１９との一体物を順次結合した後、それらも開口より張材２８の袋状部３０における下部３４および肘掛形成部３３内に挿入し、その後、第２分割フレーム１３における下部横杆２２の一端を、図９に示す実線の矢印および破線の矢印で示すように、一方の開口３５より張材２８の袋状部３０における下部３４および肘掛形成部３３内に挿入し、図１０に示すように、下部横杆２２の両端が、左右の接続杆２０、２０の先端に近接し、かつ下部横杆２２の中間部が張材２８の袋状部３０の下部３４内の上部に位置して、下部横杆２２に張材２８の上下方向の張力が作用しないようにしておく。すなわち、後方を向くほぼ水平の接続杆２０に対して、下部横杆２２が後上方に傾斜した状態としておく。
この状態では、張材２８の左右方向の幅を、背凭れフレーム１１の左右方向の幅より若干小としておくことにより、張材２８の左右方向には、適度の張力が作用するが、張材２８の上下方向には張力は発生しない。
【００４５】
次に、図１０に示すように、下部横杆２２の両端における筒状部２４を、対応する接続杆２０の差し込み部２３に外嵌させつつ、下部横杆２２全体を、第１分割フレーム１２から離れるように、張材２８の袋状部３０の下部３４内において、図１０に破線の矢印で示すように、下向き回動させると、張材２８の上下方向の張力が漸次増大し、下部横杆２２がほぼ水平となったとき、接続杆２０の差し込み部２３が下部横杆２２の筒状部２４に嵌合して、接続杆２０と下部横杆２２とが結合され、張材２８の上下方向の張力が所期のものとなり、図３に示すような背凭れ６が完成する。
【００４６】
次いで、完成した背凭れ６を、図３および図６に示すように、第１分割フレーム１２と第２分割フレーム１３との結合部分を張材２８の開口３５から臨ませ、この開口３５を背凭れ支持杆５の先端部により閉塞するようにして、椅子における支基３の両側部に配設した左右１対の背凭れ支持杆５、５の先端部上に載置し、かつ背凭れ支持杆５の先端部を上下方向に貫通する第２結合手段をなす前後１対のボルト３６、３６を、接続杆２０の後端部寄りと下部横杆２２の前端部寄りとに設けられた筒体２７のねじ孔２７ａに螺合させて締め付けることにより、背凭れ６は、左右の背凭れ支持杆５、５の先端部上に強固に取付けられる。
【００４７】
こうすることによって、張材２８の開口３５を、背凭れ支持杆５により閉塞して、開口３５が外部に露呈しないようにし、外観をよくすることができるだけでなく、背凭れ支持杆５と第１分割フレーム１２および第２分割フレーム１３とが、互いに分離しないように強力に結合される。
【００４８】
以上から明らかなように、本発明のフレームへの張材の張設構造の第１の実施形態、および本発明のフレームへの張材の張設方法の第１の実施要領によると、張材２８の一端部を第１分割フレーム１２に、かつ張材２８の他端部を第２分割フレーム１３に取り付けた後、張材２８の両端部を離間させつつ第１分割フレーム１２と第２分割フレームと１３を、結合手段２１をもって結合することにより、専用の引張装置や治具等を使用することなく、張材２８を、軽力で、かつ簡単な組み付け作業のみで、背凭れフレーム１１に強く張設することができる。
【００４９】
図１１〜図１５は、本発明のフレームへの張材の張設構造の第２の実施形態、および本発明のフレームへの張材の張設方法の第２の実施要領を示す。なお、第１の実施形態におけるのと同一または類似の部材には、同一の符号をもって図示するに止め、それらについての詳細な説明は省略する(第３の実施形態および第３の実施要領においても同様とする)。
【００５０】
第２の実施形態においては、第１の実施形態の背凭れフレーム１１における左右の側枠杆１４、１４とヘッドレスト側枠杆１５、１５とを互いに分離し、背凭れフレーム１１における側枠杆１４、１４より下方の部分を第１分割フレーム１２、ヘッドレスト側枠杆１５、１５と上部横杆１６とを第２分割フレーム１３とし、それらの対向端部のいずれか一方(この例では側枠杆１４)に、第１の実施形態における差し込み部２３と同様の差し込み部２３を設け、いずれか他方(この例ではヘッドレスト側枠杆１５)に、差し込み部２３が嵌合されるようにした筒状部２４を設け、この差し込み部２３と筒状部２４とにより、側枠杆１４とヘッドレスト側枠杆１５とを結合する結合手段２１を形成している。
【００５１】
下部横杆２２の両端と左右の接続杆２０、２０とは、第１の実施形態におけるのと同様に、結合手段２１をもって連結したものとしてあるが、下部横杆２２と左右の接続杆２０、２０とは、１本の管材により、一体的に形成してもよい。
【００５２】
張材２８には、袋状部３０における左右の側枠形成部３２、３２とヘッドレスト形成部３１との連結部の外側に、左右１対の開口３５、３５を設けてある。
その他の構造は、第１の実施形態と同様である。
【００５３】
本発明のフレームへの張材の張設方法の第２の実施要領においては、図１１に示すように、第１分割フレーム１２における一方の側枠杆１４の上端を、張材２８における一方の開口３５より張材２８内に差し込み、その先端を、図１１に破線の矢印で示すように、張材２８の袋状部３０における一方の側枠形成部３２、下部３４(肘掛形成部３３を含む)および他方の側枠形成部３２に順次挿通させて、図１２に示すように、他方の開口３５より外部に突出させる。
【００５４】
次に、図１２に示すように、連結杆２６の一端を、側枠杆１４の上部が上方に突出している一方の開口３５から、張材２８の袋状部３０におけるヘッドレスト形成部３１内に差し込み、そのヘッドレスト形成部３１内を、図１２に破線および実線の矢印で示すように挿通させて、その一端の下向き差し込み片２６ａを、一方の側枠杆１４の上端部における受け筒２５に上方より差し込み、次いで、連結杆２６の他端の下向き差し込み片２６ａを、他方の側枠杆１４の上端部における受け筒２５に上方より差し込んで、連結杆２６を、図１３に示すように、第１分割フレーム１２の左右の側枠杆１４、１４の上端部間に架設する。
【００５５】
次に、図１３に示すように、第２分割フレーム１３における一方のヘッドレスト側枠杆１５の先端を、一方の開口３５より張材２８の袋状部３０におけるヘッドレスト形成部３１内に、破線の矢印で示すように挿入し、図１４に示すように、左右のヘッドレスト側枠杆１５、１５の先端が、左右の上部横杆１６、１６の上端に近接し、かつ第２分割フレーム１３全体が、張材２８の袋状部３０のヘッドレスト形成部３１内において、第１分割フレーム１２の上端から前方(または後方)に倒れた状態とし、第２分割フレーム１３に張材２８の上下方向の張力が作用しないようにしておく。
【００５６】
次に、図１４に示すように、左右のヘッドレスト側枠杆１５、１５の先端における筒状部２４、２４を、対応する側枠杆１４、１４の上端部における差し込み部２３に外嵌させつつ、第１分割フレーム１２全体を、上部横杆１６が第１分割フレーム１２から離れるように、張材２８の袋状部３０のヘッドレスト形成部３１内において、図１４に破線の矢印で示すように、上向き回動させると、張材２８の上下方向の張力が漸次増大し、左右のヘッドレスト側枠杆１５、１５が起立状態となったとき、側枠杆１４の差し込み部２３がヘッドレスト側枠杆１５の筒状部２４に嵌合して、側枠杆１４とヘッドレスト側枠杆１５とが結合手段２１によって結合され、張材２８の上下方向の張力が所期のものとなり、図１５に示すような背凭れ６が完成する。
【００５７】
本発明のフレームへの張材の張設構造の第２の実施形態、および本発明のフレームへの張材の張設方法の第２の実施要領によると、本発明の第１の実施形態および第２の実施要領と同様の作用および効果を奏することができるだけでなく、連結杆２６の取付作業が簡単になるという、特有の効果を奏することができる。
【００５８】
図１６および図１７は、本発明のフレームへの張材の張設構造の簡略化した第３の実施形態、および本発明のフレームへの張材の張設方法の第３の実施要領を示す。
第３の実施形態は、本発明を衝立に適用したもので、この衝立は、上向きコ字状をなす第１分割フレーム１２と、下向きコ字状をなす第２分割フレーム１３との対向端部同士を結合手段２１をもって結合することにより形成された枠状のフレーム４０と、一端部が第１分割フレーム１２に、かつ他端部が第２分割フレーム１３に取り付けられ、両端部を離間させつつ第１分割フレーム１２と第２分割フレーム１３とを、結合手段２１をもって結合することにより、所期の張力をもってフレーム４０に張設されるようにした張材４１とを備えるものとしてある。
【００５９】
結合手段２１は、第１分割フレーム１２および第２分割フレーム１３のいずれか一方(図示の例では第２分割フレーム１３)の端末に形成した筒状部２４と、他方(図示の例では第１分割フレーム１２)の端末に設けられ、かつ筒状部２４に嵌合されるようにした差し込み部２３とにより形成されている。
【００６０】
筒状部２４の開口端部には、差し込み部２３を斜め側方から筒状部２４に挿入する際に、差し込み部２３を筒状部２４内に案内する円弧状の案内溝４２が設けられている。
【００６１】
張材４１は、上下の端部をＵ字状に折り返して、その折り返した端部を基部に縫着することにより、袋状部４１ａ、４１ａを形成し、各袋状部４１ａに第１分割フレーム１２および第２分割フレーム１３の中間部を挿通させることにより、各端部が第１分割フレーム１２および第２分割フレーム１３に取り付けられている。
なお、張材４１を、無端ベルト状として、第１分割フレーム１２および第２分割フレーム１３の中間部間に掛け回すようにしてもよい。
【００６２】
本発明のフレームへの張材の張設方法の第３の実施要領においては、図１７に示すように、第１分割フレーム１２と第２分割フレーム１３とに、張材４１の各端部を、所期の張力が作用しないようにして取り付けておき、第１分割フレーム１２の両端における筒状部２４、２４に設けた案内溝４２、４２に、第２分割フレーム１３の両端に設けた差し込み部２３、２３を載置し、第２分割フレーム１３を、斜め後下方に傾斜した状態、すなわち側方に倒れた状態から、両差し込み部２３、２３における案内溝４２、４２に受止された部分を回転中心として、図１７に矢印で示すように、上向き回動させることにより、張材４１の両端部を離間させ、張材４１が直線状となった後は、張材４１の張力を漸次増大させつつ、両差し込み部２３、２３を筒状部２４、２４に嵌合し、第１分割フレーム１２と第２分割フレーム１３とを、結合手段２１をもって結合する。
このとき、第２分割フレーム１３は、第１分割フレーム１２上下方向に一直線状をなし、張材４１は、所期の張力をもってフレーム４０に張設される。
【００６３】
本発明のフレームへの張材の張設構造の第３の実施形態、および本発明のフレームへの張材の張設方法の第３の実施要領によると、本発明の第１の実施形態および第２の実施要領と同様の作用および効果を奏することができるだけでなく、構造を簡素化しうるとともに、案内溝４２を設けることにより、筒状部２４への差し込み部２３の嵌合を円滑に行うことができ、組み付け作業が容易になるという、特有の効果を奏することができる。
【００６４】
本発明は、上記実施形態のみに限定されるものではなく、特許請求の範囲を逸脱することなく、例えば、次のような変形した態様での実施が可能である。
(１)  背凭れフレーム１１における左右の側枠杆１４、１４を下端まで延長させて、左右の接続杆２０、２０に接続し、肘掛杆１７、コーナー部材１８、垂下杆１９等を省略するとともに、張材２８における肘掛形成部３３を省略し、肘掛部９のない椅子の背凭れとする。
(２)  連結杆２６および受け筒２５を省略する。
(３)  シースルー部を、張材２８におけるヘッドレスト形成部の中央にも設ける。
【産業上の利用可能性】
【００６５】
本発明は、椅子の背凭れだけでなく、椅子の座、ベッド、または衝立等、フレームに張材が張設されるあらゆるものに適用することができる。
【符号の説明】
【００６６】
１  ベース
２  脚柱
３  支基
４  座
５  背凭れ支持杆
６  背凭れ
７  背凭れ本体
８  ヘッドレスト
９  肘掛部
１０  肘当て部材
１０ａ操作レバー
１１  背凭れフレーム(フレーム)
１２  第１分割フレーム
１２ａ基部
１３  第２分割フレーム
１４  側枠杆
１５  ヘッドレスト側枠杆
１６  上部横杆
１７  肘掛杆
１８  コーナー部材
１８ａ水平部
１８ｂ垂下部
１９  垂下杆
２０  接続杆
２１  結合手段
２２  下部横杆
２３  差し込み部
２４  筒状部
２５  受け筒
２６  連結杆
２６ａ下向き差し込み片
２７  筒体
２７ａねじ孔
２８  張材
２９  シースルー部
３０  袋状部
３１  ヘッドレスト形成部
３２  側枠形成部
３３  肘掛形成部
３４  下部
３５  開口
３６  ボルト(第２結合手段)
４０  フレーム
４１  張材
４１ａ袋状部
４２  案内溝
【図１】
2015085100.tif 000003
【図２】
2015085100.tif 000004
【図３】
2015085100.tif 000005
【図４】
2015085100.tif 000006
【図５】
2015085100.tif 000007
【図６】
2015085100.tif 000008
【図７】
2015085100.tif 000009
【図８】
2015085100.tif 000010
【図９】
2015085100.tif 000011
【図１０】
2015085100.tif 000012
【図１１】
2015085100.tif 000013
【図１２】
2015085100.tif 000014
【図１３】
2015085100.tif 000015
【図１４】
2015085100.tif 000016
【図１５】
2015085100.tif 000017
【図１６】
2015085100.tif 000018
【図１７】
2015085100.tif 000019